(57)【特許請求の範囲】
【請求項１】
互いに交差する長手方向と横方向とを有する吸収性コアを備えた吸収性本体と、
前記長手方向に伸縮する弾性部材を備え、前記吸収性本体の前記横方向の両側に設けられた一対の防漏壁と、
を有し、
前記吸収性コアは、前記長手方向の中央部に、前記横方向の内側に凹んだ凹み部を有し、
前記吸収性コアに設けられた前記凹み部の前記横方向の寸法は、前記吸収性コアの前記長手方向の両端部の前記横方向の寸法よりも小さく、
前記防漏壁は、当該防漏壁の厚さ方向の一方側の面同士が接合された接合部を有し、
前記防漏壁のうちの、前記長手方向において前記接合部よりも一端側の領域及び他方側の領域のうち少なくとも一方に、前記防漏壁の厚さ方向の一方側の面同士が接合されていない非接合部を有し、
前記厚さ方向において、前記一対の防漏壁に設けられた前記接合部は、前記吸収性コアと重複しておらず、且つ、
前記横方向において、前記一対の防漏壁に設けられた前記接合部の間隔が、前記凹み部の最小寸法よりも大きく、前記吸収性コアの前記長手方向の両端部の寸法よりも小さい、ことを特徴とする吸収性物品。
【請求項２】
請求項１に記載の吸収性物品であって、
前記防漏壁のうちの、前記長手方向において前記接合部よりも一端側の領域及び他方側の領域に、前記非接合部を有する、ことを特徴とする吸収性物品。
【請求項３】
請求項１または２に記載の吸収性物品であって、
前記弾性部材の伸縮力が作用する領域の前記長手方向の端部位置は、
前記接合部の前記長手方向の端部位置よりも、前記長手方向の外側である、ことを特徴とする吸収性物品。
【請求項４】
請求項１〜３のいずれかに記載の吸収性物品であって、
前記防漏壁は、前記長手方向に沿った折り曲げ線にて、前記横方向の内側から外側に折り返された部分を有する、ことを特徴とする吸収性物品。
【請求項５】
請求項４に記載の吸収性物品であって、
前記防漏壁の前記横方向の内側から外側に折り返された部分は、折り返された前記防漏壁同士が前記接合部によって接合された折り込み部と、前記折り込み部よりも前記横方向の外側において、折り返された前記防漏壁同士が接合されていない単層部とを有しており、  前記折り込み部における前記防漏壁の剛性は、前記単層部における前記防漏壁の剛性よりも大きい、ことを特徴とする吸収性物品。
【請求項６】
請求項５に記載の吸収性物品であって、
前記折り込み部は、着用者の肌に当接する天面部と、前記天面部の下側に重ねられた下面部とを有し、
前記下面部には、前記弾性部材が設けられている、ことを特徴とする吸収性物品。
【請求項７】
請求項６に記載の吸収性物品であって、
前記下面部に設けられている前記弾性部材の前記横方向の位置は、
前記接合部の前記横方向の位置と同じ、若しくは、前記接合部の位置よりも前記横方向の内側である、ことを特徴とする吸収性物品。
【請求項８】
請求項４〜７のいずれかに記載の吸収性物品であって、
前記吸収性本の肌側にトップシートが設けられており、
前記防漏壁は、前記横方向の外側から内側に折り曲げられ、前記トップシートの肌側に重ねられた下面部と、前記横方向の内側から外側へ折り曲げられ、前記下面部の肌側に重ねられた天面部と、を有し、
前記非接合部よりも前記長手方向の外側、かつ、前記接合部よりも前記横方向の外側の領域にて、前記トップシートと前記下面部とが接合され、前記下面部と前記天面部とが接合されている、ことを特徴とする吸収性物品。
【請求項９】
請求項１〜８のいずれかに記載の吸収性物品であって、
前記吸収性コアの前記長手方向の中央から所定距離だけ腹側にずれた位置における、前記接合部と前記凹み部との間の前記横方向の距離は、
前記吸収性コアの前記長手方向の中央から前記所定距離だけ背側にずれた位置における、前記接合部と前記凹み部との間の前記横方向の距離以上である、ことを特徴とする吸収性物品。
【請求項１０】
請求項１〜９のいずれかに記載の吸収性物品であって、
前記長手方向の背側には、前記横方向に伸縮する脚回り弾性部材が配置されており、
前記脚回り弾性部材は、
前記横方向の中央部において、前記吸収性コアと厚さ方向に重複するように前記横方向に沿って配置された直線部と、
前記直線部の前記横方向の両側から前記横方向の外側かつ前記長手方向の背側に湾曲して配置された湾曲部と、
を備え、
前記防漏壁と前記脚回り弾性部材とは前記厚さ方向に交差する部分を有する、ことを特徴とする吸収性物品。
【請求項１１】
請求項１０に記載の吸収性物品であって、
前記接合部と前記脚回り弾性部材とは前記厚さ方向に交差する部分を有する、ことを特徴とする吸収性物品。
【請求項１２】
請求項１０または１１に記載の吸収性物品であって、
前記脚回り弾性部材において、前記直線部の伸長倍率よりも前記湾曲部の伸長倍率の方が大きい、ことを特徴とする吸収性物品。
【請求項１３】
請求項１〜１２のいずれかに記載の吸収性物品であって、
前記長手方向の腹側において前記横方向に沿って配置され、前記横方向に伸縮可能な腹側胴回り弾性部材と、
前記長手方向の背側において前記横方向に沿って配置され、前記横方向に伸縮可能な背側胴回り弾性部材と、を有し、
前記腹側胴回り弾性部材によって伸縮性が発現している領域、及び、前記背側胴回り弾性部材によって伸縮性が発現している領域のうち少なくとも一方と、
前記防漏壁に設けられた前記弾性部材によって伸縮性が発現している領域と、が前記厚さ方向に交差する部分を有する、ことを特徴とする吸収性物品。
【発明の詳細な説明】
【技術分野】
【０００１】
本発明は、吸収性物品に関する。
【背景技術】
【０００２】
従来、パンツ型の使い捨ておむつが使用されている。一般的なパンツ型の使い捨ておむつは、展開状態において、長手方向と幅方向とを有し排泄物を吸収する吸収性コアを備えた吸収性本体が設けられている。そして、該吸収性本体の幅方向の両側には、吸収性コアによって吸収された排泄物がおむつの外側に漏れることを防止する防漏壁部が着用者の脚回りに沿って設けられる。例えば、特許文献１には、液体吸収性パネル（吸収性本体）の両側に側部フラップが設けられ、当該側部フラップの自由端側に設けられた糸ゴム等の弾性部材が収縮することによってギャザー（防漏壁部）を形成する使い捨ておむつが開示されている。
【先行技術文献】
【特許文献】
【０００３】
【特許文献１】特開２００９−６１０５２号
【発明の概要】
【発明が解決しようとする課題】
【０００４】
使い捨ておむつの着用時において、吸収性コアが排泄物を吸収することによって重量が増加すると、吸収性本体が自重によって下側に垂れ下がり、着用者の股間部（鼠径部）に隙間が生じて脚回りの開口部から排泄物が外側に漏れてしまうおそれがある。これに対して、特許文献１に記載されているような従来のおむつでは、吸収性本体が垂れ下がるのに伴って、防漏壁の位置がずれてしまい、このような隙間が生じることを十分に抑制することが困難であった。また、隙間が生じないように防漏壁に設けられる弾性部材による締め付けを強くすると、着用者に不快感を与えるおそれがあった。
【０００５】
本発明は、上記のような従来の問題に鑑みてなされたものであって、その目的は、防漏壁を有する吸収性物品において、着用者に不快感を与えにくくしつつ、股間部に隙間が生じることを抑制することにある。
【課題を解決するための手段】
【０００６】
上記目的を達成するための主たる発明は、
互いに交差する長手方向と横方向とを有する吸収性コアを備えた吸収性本体と、
前記長手方向に伸縮する弾性部材を備え、前記吸収性本体の前記横方向の両側に設けられた一対の防漏壁と、
を有し、
前記吸収性コアは、前記長手方向の中央部に、前記横方向の内側に凹んだ凹み部を有し、
前記吸収性コアに設けられた前記凹み部の前記横方向の寸法は、前記吸収性コアの前記長手方向の両端部の前記横方向の寸法よりも小さく、
前記防漏壁は、当該防漏壁の厚さ方向の一方側の面同士が接合された接合部を有し、
前記防漏壁のうちの、前記長手方向において前記接合部よりも一端側の領域及び他方側の領域のうち少なくとも一方に、前記防漏壁の厚さ方向の一方側の面同士が接合されていない非接合部を有し、
前記厚さ方向において、前記一対の防漏壁に設けられた前記接合部は、前記吸収性コアと重複しておらず、且つ、
前記横方向において、前記一対の防漏壁に設けられた前記接合部の間隔が、前記凹み部の最小寸法よりも大きく、前記吸収性コアの前記長手方向の両端部の寸法よりも小さい、ことを特徴とする吸収性物品である。
本発明の他の特徴については、本明細書及び添付図面の記載により明らかにする。
【発明の効果】
【０００７】
本発明によれば、防漏壁を有する吸収性物品において、着用者に不快感を与えにくくしつつ、股間部に隙間が生じることを抑制することができる。
【図面の簡単な説明】
【０００８】
【図１】展開且つ伸長状態であるおむつ１の平面図である。
【図２】おむつ１を腹側から見た概略斜視図である。
【図３】図３Ａは、図１中のＡ−Ａ概略断面図である。図３Ｂは、図１Ａ中のＢ−Ｂ概略断面図である。図３Ｃは、図１Ａ中のＣ−Ｃ概略断面図である。
【図４】展開且つ伸長状態である防漏壁５０の平面図である。
【図５】図３Ｃの領域Ｄについて拡大して表す概略断面図である。
【図６】図６Ａは、排泄が行われる前のおむつ１００（比較例）の着用状態について説明する図である。図６Ｂは、排泄が行われた後のおむつ１００（比較例）の着用状態について説明する図である。
【図７】図７Ａは、排泄が行われる前のおむつ１の着用状態について説明する図である。図７Ｂは、排泄が行われた後のおむつ１の着用状態について説明する図である。
【図８】折り込み接合部６１の配置について説明するための概略平面図である。
【発明を実施するための形態】
【０００９】
本明細書及び添付図面の記載により、少なくとも以下の事項が明らかとなる。
互いに交差する長手方向と横方向とを有する吸収性コアを備えた吸収性本体と、前記長手方向に伸縮する弾性部材を備え、前記吸収性本体の前記横方向の両側に設けられた一対の防漏壁と、を有し、前記吸収性コアは、前記長手方向の中央部が前記横方向の内側に凹んだ凹み部を有し、前記防漏壁のうちの、前記長手方向において前記凹み部に対応する領域の少なくとも一部に、前記防漏壁の厚さ方向の一方側の面同士が接合された接合部を有し、前記防漏壁のうちの、前記長手方向において前記接合部よりも一端側の領域及び他方側の領域のうち少なくとも一方に、前記防漏壁の厚さ方向の一方側の面同士が接合されていない非接合部を有する、ことを特徴とする吸収性物品。
【００１０】
このような吸収性物品によれば、接合部によって防漏壁同士が接合された部分が平面状に着用者の身体と当接することにより、該当接部の位置がずれにくくなる。これにより、着用者の身体と防漏壁との間に隙間等が生じにくくなる。また、防漏壁同士が接合されることによって吸収性コアの凹み部における防漏壁の高さが低くなり、吸収性コアが下方側に垂れ下がりにくくなる。これにより、着用者に違和感を生じにくくさせることができる。
【００１１】
かかる吸収性物品であって、前記防漏壁のうちの、前記長手方向において前記接合部よりも一端側の領域及び他方側の領域に、前記非接合部を有する、ことが望ましい。
【００１２】
このような吸収性物品によれば、接合部の長手方向両外側に、接合部と比較して柔軟性の高い非接合部が形成されることによって防漏壁が変形しやすくなり、吸収性物品を着用する際に、防漏壁が身体形状に沿ってフィットしやすくなる。
【００１３】
かかる吸収性物品であって、前記接合部は、前記厚さ方向について前記吸収性コアと重複していない、ことが望ましい。
【００１４】
このような吸収性物品によれば、吸収性物品の着用時において、剛性の高い接合部が吸収性コアによって身体に押し付けられることが抑制され、肌触りが悪化しにくくなる。また、当該領域では吸収性コアの垂れ下がり等の問題は生じにくく、接合部を形成する必要性が少ない。したがって、接合部の長手方向長さを短くすることができる。
【００１５】
かかる吸収性物品であって、前記弾性部材の伸縮力が作用する領域の前記長手方向の端部位置は、前記接合部の前記長手方向の端部位置よりも、前記長手方向の外側である、ことが望ましい。
【００１６】
このような吸収性物品によれば、接合部の長手方向の全領域に対して弾性部材（防漏壁弾性部材）による伸縮力を作用させることができる。これにより、接合部によって防漏壁同士が接合されている部分が平面状に形成されやすくなり、着用者の身体に防漏壁を平面状にフィットさせることによって防漏壁の位置ずれをより生じにくくすることができる。
【００１７】
かかる吸収性物品であって、前記防漏壁は、前記長手方向に沿った折り曲げ線にて、前記横方向の内側から外側に折り返された部分を有する、ことが望ましい。
【００１８】
このような吸収性物品によれば、防漏壁が折り返された部分では、横方向の外側が自由端となる。したがって、吸収性物品の着用時において、防漏壁が横方向の外側に突出するようになり、着用者が吸収性物品の脚回り開口に脚を通す際に、防漏壁に脚の指が引っ掛かりにくくなり、着用しやすくなる。
【００１９】
かかる吸収性物品であって、前記防漏壁の前記横方向の内側から外側に折り返された部分は、折り返された前記防漏壁同士が前記接合部によって接合された折り込み部と、前記折り込み部よりも前記横方向の外側において、折り返された前記防漏壁同士が接合されていない単層部とを有しており、前記折り込み部における前記防漏壁の剛性は、前記単層部における前記防漏壁の剛性よりも大きい、ことが望ましい。
【００２０】
このような吸収性物品によれば、吸収性物品の着用時において、剛性の高い折り込み部は、面形状を維持した状態で着用者の身体に着用者の身体にしっかりと押し当てられる。一方、剛性が低い単層部は変形しやすいため、身体の凹凸に応じた曲面を形成しながら着用者の肌側に押し当てられる。これにより、着用者の身体に対して防漏壁を面接触させやすくなり、フィット性が向上する。
【００２１】
かかる吸収性物品であって、前記折り込み部は、着用者の肌に当接する天面部と、前記天面部の下側に重ねられた下面部とを有し、前記下面部には、前記弾性部材が設けられている、ことが望ましい。
【００２２】
このような吸収性物品によれば、下面部に設けられた弾性部材が収縮することにより、下面部と天面部とが同時に着用者の肌側に押し上げられるため、下面部と天面部とが重ねて接合された領域が面形状を維持したまま着用者の肌と面接触しやすくなる。これにより、吸収性物品のフィット性がより向上する。
【００２３】
かかる吸収性物品であって、前記下面部に設けられている前記弾性部材の前記横方向の位置は、前記接合部の前記横方向の位置と同じ、若しくは、前記接合部の位置よりも前記横方向の内側である、ことが望ましい。
【００２４】
このような吸収性物品によれば、横方向について接合部の下方又はその内側に弾性部材が配置されていることにより、該弾性部材による伸縮力が接合部を介して天面部及び下面部の広範囲に作用するため、当該領域を着用者の肌と面接触させやすくなるこれにより、吸収性物品のフィット性がより向上する。
【００２５】
かかる吸収性物品であって、前記吸収性本の肌側にトップシートが設けられており、前記防漏壁は、前記横方向の外側から内側に折り曲げられ、前記トップシートの肌側に重ねられた下面部と、前記横方向の内側から外側へ折り曲げられ、前記下面部の肌側に重ねられた天面部と、を有し、前記非接合部よりも前記長手方向の外側、かつ、前記接合部よりも前記横方向の外側の領域にて、前記トップシートと前記下面部とが接合され、前記下面部と前記天面部とが接合されている、ことが望ましい。
【００２６】
このような吸収性物品によれば、防漏壁の長手方向の端部において天面部及び下面部がトップシートの肌側面に固定され、天面部の横方向外側端部が捲り上がってしまうことが抑制される。また、天面部及び下面部が固定されている部分がポケット構造となり、吸収性コアによって吸収された排泄物が、吸収性コアから当該固定された部分の外側へ漏れるのを抑制しやすくなる。
【００２７】
かかる吸収性物品であって、前記吸収性コアの前記長手方向の中央から所定距離だけ腹側にずれた位置における、前記接合部と前記凹み部との間の前記横方向の距離は、前記吸収性コアの前記長手方向の中央から前記所定距離だけ背側にずれた位置における、前記接合部と前記凹み部との間の前記横方向の距離以上である、ことが望ましい。
【００２８】
このような吸収性物品によれば、背側において、吸収性コアの横方向外側端部から防漏壁が着用者の肌と当接する部分までの距離（防漏壁の起立部分の長さ）が短くなり、吸収性コアが垂れ下がりにくくなる。また、腹側において吸収性コアの横方向の間隔が狭くなるため、吸収性物品を着用する際に、着用者の脚の指が吸収性コアの側端部に引っ掛かってしまうことを抑制しやすくなる。
【００２９】
かかる吸収性物品であって、前記長手方向の背側には、前記横方向に伸縮する脚回り弾性部材が配置されており、前記脚回り弾性部材は、前記横方向の中央部において、前記吸収性コアと厚さ方向に重複するように前記横方向に沿って配置された直線部と、前記直線部の前記横方向の両側から前記横方向の外側かつ前記長手方向の背側に湾曲して配置された湾曲部と、を備え、前記防漏壁と前記脚回り弾性部材とは前記厚さ方向に交差する部分を有する、ことが望ましい。
【００３０】
このような吸収性物品によれば、脚回り弾性部材の湾曲部の伸縮力によって防漏壁が斜め上方に引っ張り上げられることにより、吸収性物品を着用する際に防漏壁が起立しやすくなる。また、防漏壁が引っ張られることにより、吸収性本体が拡幅されやすくなる。これにより、吸収性物品着用時における脚回りのフィット性が向上する。
【００３１】
かかる吸収性物品であって、前記接合部と前記脚回り弾性部材とは前記厚さ方向に交差する部分を有する、ことが望ましい。
【００３２】
このような吸収性物品によれば、脚回り弾性部材の湾曲部の伸縮力によって接合部が吸収性物品の斜め上方に引っ張り上げられることにより、該接合部によって接合されている部分（折り込み部）が着用者の肌側により密着して脚回り部に隙間が生じにくくなる。これにより、吸収性物品着用時における脚回りのフィット性がより向上する。
【００３３】
かかる吸収性物品であって、前記脚回り弾性部材において、前記直線部の伸長倍率よりも前記湾曲部の伸長倍率の方が大きい、ことが望ましい。
【００３４】
このような吸収性物品によれば、横方向の中央部において吸収性コアと重複する直線部の伸長倍率を低くすることによって、吸収性コア１１が横方向に過度に収縮することを抑制することができる。また、吸収性物品の着用時に着用者の臀部に当接する湾曲部の伸長倍率を高くすることによって、収縮力を強くして位置ずれを生じにくくすることができる。
【００３５】
かかる吸収性物品であって、前記長手方向の腹側において前記横方向に沿って配置され、前記横方向に伸縮可能な腹側胴回り弾性部材と、前記長手方向の背側において前記横方向に沿って配置され、前記横方向に伸縮可能な背側胴回り弾性部材と、を有し、前記腹側胴回り弾性部材によって伸縮性が発現している領域、及び、前記背側胴回り弾性部材によって伸縮性が発現している領域のうち少なくとも一方と、前記防漏壁に設けられた前記弾性部材によって伸縮性が発現している領域と、が前記厚さ方向に交差する部分を有する、ことが望ましい。
【００３６】
このような吸収性物品によれば、防漏壁に設けられた弾性部材が、腹側胴回り弾性部材及び／または背側胴回り弾性部材による横方向の伸縮性によって支持されるため、防漏壁及び吸収性本体が下方側に垂れ下がりにくくなる。これにより、吸収性コアが排泄物等を吸収して重量が重くなった場合であっても、吸収性本体が大きく垂れ下がることが抑制され、着用者に違和感を与えにくくなる。
【００３７】
＝＝＝実施形態＝＝＝
＜おむつ１の基本構成＞
本実施形態で扱う吸収性物品の一例として、パンツ型使い捨ておむつ１（以下、「おむつ１」とも呼ぶ）の基本的な構成について説明する。図１は、展開且つ伸長状態であるおむつ１の平面図である。図２は、おむつ１を腹側から見た概略斜視図である。図３Ａは、図１中のＡ−Ａ概略断面図であり、図３Ｂは、図１Ａ中のＢ−Ｂ概略断面図であり、図３Ｃは、図１Ａ中のＣ−Ｃ概略断面図である。なお、図１における「伸長状態」とは、製品（おむつ１）を皺なく伸長させた状態、具体的には、おむつ１を構成する各部材（例えば、後述するバックシート３０等）の寸法がその部材単体の寸法と一致又はそれに近い長さになるまで伸長した状態のことを言う。
【００３８】
このおむつ１は、図２のパンツ型状態において、互いに直交する三方向として縦方向と横方向と前後方向とを有している。そして、以下では、このパンツ型状態における縦方向の一方側及び他方側のことを、それぞれ「胴回り開口側」及び「股下側」とも言い、また、前後方向の前側及び後側のことを、それぞれ「腹側」及び「背側」とも言う。
【００３９】
一方、図１の展開状態においては、おむつ１は、互いに直交する三方向として長手方向と幅方向とを有している。そして、以下では、この展開状態における長手方向の一方側及び他方側のことを、それぞれ「腹側」及び「背側」とも言う。なお、展開状態における上記の幅方向は、パンツ型状態における上記の横方向と同じ方向である。そのため、以下では、幅方向のことを「横方向」とも言う。また、展開状態の長手方向は、パンツ型状態の縦方向に沿った方向である。また、図３に示すように、縦方向（長手方向）及び横方向（幅方向）と直交する方向を「厚さ方向」とし、着用対象者の肌と当接する側を「肌側」とし、その反対側を「非肌側」とする。
【００４０】
また、おむつ１は、図１に示すように、長手方向において腹側胴回り部３と、背側胴回り部４と、股下部５とを有する。腹側胴回り部３は、おむつ１の着用時において着用者の腹側に位置する部分である。背側胴回り部４は、おむつ１の着用時において着用者の背側に位置する部分である。そして、腹側胴回り部３と背側胴回り部４との間に股下部５が設けられる。
【００４１】
本実施形態のおむつ１は、吸収性本体１０と、トップシート２０と、バックシート３０と、防漏壁５０と、を有する。そして、図１の展開状態から、吸収性本体１０の長手方向（縦方向）の所定位置ＣＬ１０を折り位置として同吸収性本体１０が二つ折りされるとともに、この二つ折りの状態において互いに対向する腹側胴回り部３及び背側胴回り部４が腹側サイドエッジ部３ｅｓ及び背側サイドエッジ部４ｅｓにて溶着等で接合されると、これら胴回り部３，４同士が環状に繋がって、これにより、図２に示すような胴回り開口ＢＨ及び一対の脚回り開口ＬＨ，ＬＨが形成されたパンツ型状態のおむつ１となる。
【００４２】
吸収性本体１０は、尿等の排泄物を吸収する機能を有し、図１に示されるように平面視略長方形をなし、その長手方向をおむつ１の縦方向に沿わせつつ横方向の中央に配置されている。吸収性本体１０は、液体吸収性の吸収性コア１１と、同コア１１の外周面を被覆するコアラップシート１２と、を有する。また、吸収性本体１０の横方向の両側には、防漏壁５０が設けられている。防漏壁５０の詳細については後で説明する。
【００４３】
吸収性コア１１は、パルプ繊維等の液体吸収性繊維を所定形状に成形したものであり、その内部には高吸収性ポリマー（所謂ＳＡＰ）等が混入されている。本実施形態において、吸収性コア１１は平面視略砂時計形状であり、長手方向の中央部が横方向の内側に凹んだ凹み部１１ｃを有している。すなわち、吸収性コア１１は、吸収性コア１１の長手方向の両端部１１ｅａ，１１ｅｂよりも横方向の寸法が小さい凹み部１１ｃを、長手方向の両端部１１ｅａ，１１ｅｂの間の位置に有している。コアラップシート１２は、吸収性コア１１の外周面を被覆する液透過性のシート部材であり、ティッシュペーパーや不織布等を使用可能である。
【００４４】
トップシート２０は、吸収性本体１０の厚さ方向の肌側面に配置され、おむつ１の着用時に着用者の肌と当接する液透過性のシート部材である。本実施形態のトップシート２０は、例えば、エアスルー不織布やスパンボンド不織布等によって形成される。
【００４５】
バックシート３０は、吸収性本体１０の厚さ方向の非肌側に配置され、おむつ１の外層を構成するシート部材である。本実施形態において、バックシート３０は、バックフィルム３１と、上側外層シート３２及び下側外層シート３３とを有する。バックフィルム３１は、吸収性本体１０の非肌側に配置された液不透過性かつ透湿性のシート部材であり、例えば樹脂フィルムによって形成される。バックフィルム３１が設けられることによって、吸収性本体１０によって吸収された尿等の水分が着用者の衣服側に移動（浸透）することが抑制される。
【００４６】
上側外層シート３２及び下側外層シート３３は、厚さ方向に重ねられつつバックフィルム３１の非肌側に配置される柔軟なシート状部材であり、例えばスパンボンド不織布等によって形成される。上側外層シート３２及び下側外層シート３３は、少なくとも腹側胴回り部３及び背側胴回り部４において共に同じ形状であり、全体としては図１に示されるような略砂時計形状を有している。すなわち、バックシート３０は、腹側胴回り部３と背側胴回り部４との間で長手方向の中央部（股下部５）が横方向の内方に凹んだ凹み部３０ｃを有している。
【００４７】
また、上側外層シート３２及び下側外層シート３３の厚さ方向の間には、糸ゴム等の弾性部材が設けられている。本実施形態では、図１に示されるように、おむつ１の腹側胴回り部３（腹側サイドエッジ部３ｅｓ，３ｅｓの間の領域）において、複数の腹側胴回り弾性部材３５ａが所定の伸長倍率で横方向に伸長された状態で上側外層シート３２と下側外層シート３３との間に挟まれて接合されている。この腹側胴回り弾性部材３５ａによって、おむつ１の腹側胴回り部３に横方向の伸縮性が付与される。同様に、おむつ１の背側胴回り部４（背側サイドエッジ部４ｅｓ，４ｅｓの間の領域）において、複数の背側胴回り弾性部材３５ｂが所定の伸長倍率で横方向に伸長された状態で上側外層シート３２と下側外層シート３３との間に接合されている。この背側胴回り弾性部材３５ｂによって、おむつ１の背側胴回り部４に横方向の伸縮性が付与される。
【００４８】
なお、弾性部材の「伸長倍率」とは、弾性部材（糸ゴム）の自然長を１としたときの伸び度合いを示したものであり、例えば伸長倍率が１．２の場合、弾性部材は自然長から０．２だけ伸張していることになる。
【００４９】
また、背側胴回り部４には複数の背側脚回り弾性部材３５ｌｇが設けられている。背側脚回り弾性部材３５ｌｇは、背側胴回り部４の長手方向の内側の領域（吸収性コア１１の長手方向の中央寄りの位置）から凹み部３０ｃに沿って湾曲して配置されている。具体的に言えば、背側脚回り弾性部材３５ｌｇは、図１に示されるように、横方向の中央部（吸収性コア１１が配置されている領域）において横方向に沿って配置された直線部３５ｌｇｓと、直線部３５ｌｇｓの横方向の両側から、横方向の外側に向かって斜め上方に湾曲して配置された湾曲部３５ｌｇｃと、を有する。そして、直線部３５ｌｇｓと湾曲部３５ｌｇｃとは、それぞれ異なる伸長倍率で伸長された状態で上側外層シート３２と下側外層シート３３との間に接合されている。
【００５０】
本実施形態では、直線部３５ｌｇｓにおける伸長倍率が背側胴回り弾性部材３５ｂの伸長倍率よりも低くなるように背側脚回り弾性部材３５ｌｇが配置されている。直線部３５ｌｇｓは、横方向の中央部において吸収性コア１１（吸収性本体１０）と重複する部分を有していることから、伸長倍率を低くすることによって、吸収性コア１１が横方向に過度に収縮することを抑制することができる。なお、直線部３５ｌｇｓの横方向の位置によって伸長倍率が異なっていても良い。例えば、直線部３５ｌｇｓのうち横方向中央部における伸長倍率が横方向両端部における伸長倍率より低くなっていても良い。これにより、直線部３５ｌｇｓにおける応力に勾配が生じ、フィット性を損なうことなく吸収性コア１１の収縮を抑制することができる。
【００５１】
一方、湾曲部３５ｌｇｃにおける伸長倍率は、背側胴回り弾性部材３５ｂの伸長倍率よりも高くなるように配置されている。湾曲部３５ｌｇｃは、おむつ１の背側において凹み部３０ｃに沿って配置されているが、この領域は、おむつ１の着用時に着用者の臀部に当接し、着用者が脚を動かすことによって位置ずれが生じやすい部分である。そこで、湾曲部３５ｌｇｃの伸長倍率を高くすることによって、収縮力を強くして位置ずれを生じにくくしている。また、脚回り開口ＬＨの近隣においてバックシート３０の収縮量が大きくなるため、バックシート３０が着用者の臀部の丸みに沿った形状に変形しやすくなり、フィット性を高めることができる。なお、直線部３５ｌｇｓと同様に、湾曲部３５ｌｇｃの横方向で伸長倍率が異なっていても良い。例えば、湾曲部３５ｌｇｃにおいて、横方向の内側よりも外側の方が伸長倍率を高くしても良い。
【００５２】
＜防漏壁５０について＞
次に、防漏壁５０について説明する。防漏壁５０は、吸収性本体１０の横方向両側において、吸収性本体１０の長手方向（おむつ１の縦方向）に沿って配置され、おむつ１の着用時には吸収性本体１０の側端部から起立して、排泄物がおむつ１の外側に漏出するのを抑制する。図４は、展開且つ伸長状態である防漏壁５０の平面図である。図５は、図３Ｃの領域Ｄについて拡大して表す概略断面図である。なお、図５では説明の便宜上厚さ方向における縮尺を変形して表している。
【００５３】
防漏壁５０は、図４に示されるような矩形状のシート部材５０ｓを、長手方向（縦方向）に沿った折り曲げ線ｆ１〜ｆ３にて横方向に折り畳むことによって形成される。防漏壁５０を形成するシート部材５０ｓとしては、例えば不織布等、柔軟性を有するシート部材を使用することができる。また、防漏壁５０には、長手方向に伸縮可能な糸ゴム等の防漏壁弾性部材５５が複数設けられている。図４の例では、それぞれ長手方向に沿った６本の防漏壁弾性部材５５１〜５５６が横方向の外側から内側に向かって並んで配置されている。防漏壁弾性部材５５１〜５５６はそれぞれ長手方向に所定の伸長倍率で伸長された状態で防漏壁５０に接合されている。この防漏壁弾性部材５５によって防漏壁５０に長手方向に沿った伸縮性が付与され、おむつ１着用時に防漏壁５０を起立させる。
【００５４】
防漏壁弾性部材５５は、図１及び図４において破線で示された範囲において伸縮性を発現している。なお、図１及び図４において破線で示された範囲よりも長手方向（縦方向）の外側の領域に伸縮性を発現していない防漏壁弾性部材５５が存在していても良い。また、防漏壁弾性部材５５の数量やその配置は図４に示される限りではなく、おむつ１の使用に応じて適宜変更可能である。
【００５５】
図４に示される展開状態において、防漏壁５０（シート部材５０ｓ）の横方向の内側端部５０ｅｉは、厚さ方向において吸収性本体１０と防漏フィルム３１（バックシート３０）との間に接合・固定されている。一方、防漏壁５０（シート部材５０ｓ）の横方向の外側端部５０ｅоは吸収性本体１０の横方向外側に張り出している。この状態で、外側端部５０ｅоが折り曲げ線ｆ１を基点として横方向の内側に折り曲げられ、防漏壁弾性部材５５１〜５５６を間に挟んだ状態でシート部材５０ｓ同士が厚さ方向に重ねられ、互いに接合される。なお、横方向に複数並んで設けられている防漏壁弾性部材５５のうち、最も外側の弾性部材（図４では防漏壁弾性部材５５１）は、折り曲げ線ｆ１の横方向位置に揃えて配置されている。
【００５６】
続いて、シート部材５０ｓが折り曲げ線ｆ２を基点として厚さ方向の非肌側かつ横方向の内側に折り曲げられる。折り曲げ線ｆ２の横方向位置は、防漏壁弾性部材５５５の横方向位置とほぼ同じ位置である。続いて、シート部材５０ｓが折り曲げ線ｆ３を基点として厚さ方向の肌側かつ横方向の内側に折り曲げられる。これにより、図３及び図５に示されるような略Ｓ字状に折り曲げられた防漏壁５０が形成される。なお、図５の場合、折り曲げ線ｆ３の位置が防漏壁５０を起立させる際の基部５０ｒｐとなる。
【００５７】
防漏壁５０は、シート部材５０ｓが横方向の一方側から他方側へ折り返されることにより、厚さ方向の最も肌側に天面部５１が形成されている。天面部５１は、折り曲げ線ｆ１と折り曲げ線ｆ２との間において横方向に所定の幅を有する領域であり、該天面部５１には、防漏壁弾性部材５５１〜５５５が設けられている。また、天面部５１の厚さ方向の非肌側には下面部５２が形成されている。下面部５２は、折り曲げ線ｆ２と折り曲げ線ｆ３との間において横方向に所定の幅を有する領域であり、該下面部５２には、防漏壁弾性部材５５５〜５５６が設けられている。なお、防漏壁弾性部材５５５は上述したように横方向について折り曲げ線ｆ２とほぼ同じ位置に配置されていることから、天面部５１及び下面部５２の両方に設けられているものとする。
【００５８】
そして、防漏壁５０では、天面部５１及び下面部５２の一部の領域が折り込み接合部６１を介して厚さ方向に接合されている。すなわち、折り込み接合部６１によって防漏壁５０（シート部材５０ｓ）の厚さ方向の一方側の面同士が接合されている。以下、防漏壁５０において折り込み接合部６１が形成されている部分よりも横方向の内側の領域を折り込み部５３とも呼ぶ。本実施形態では、天面部５１（下面部５２）の横方向内側の領域に、図５の斜線部で示される折り込み接合部６１が設けられ、折り込み部５３が形成されている。なお、折り込み接合部６１はホットメルト接着剤等の接着剤を用いた接着手段や、エンボス加工等の圧着手段を用いて形成されている。なお、折り込み接合部６１は図５の様に折り込み部５３の横方向の全体に亘って形成されている必要はなく、例えば、横方向の内側端（図５で折り曲げ線ｆ２の位置）において折り込み接合部６１が形成されていなくても良い。一方、折り込み接合部６１が設けられていない横方向外側の領域では、天面部５１と下面部５２とが接合されておらず、両者は厚さ方向に離脱可能である。以下、天面部５１のうち、折り込み接合部６１が設けられている部分よりも横方向の外側を単層部５４とも呼ぶ。なお、ここでいう「単層」とは、天面部５１のみからなる層であることを意味し、天面部５１自体は図５のような複層構造であっても良い。
【００５９】
本実施形態のおむつ１では、図１に示されるように、長手方向において吸収性コア１１の凹み部１１ｃに対応する領域の少なくｔも一部に折り込み接合部６１が設けられている。そして、折り込み接合部６１は、厚さ方向について吸収性コア１１と重複しないように設けられている。
【００６０】
折り込み接合部６１の長手方向の外側の領域には、折り込み接合部６１が設けられていない。すなわち、防漏壁５０のうちの、長手方向において折り込み接合部６１よりも一端側の領域及び他方側の領域では、防漏壁５０（シート部材５０ｓ）の厚さ方向の一方側の面同士が接合されていない非接合部６２を有する。この非接合部６２では、図３Ｂに示されるように防漏壁５０の天面部５１及び下面部５２が接合されていないため、折り込み部５３は形成されておらず、天面部５１の横方向の全領域が単層部となる。なお、図１では折り込み接合部６１の長手方向の両外側に非接合部６２が設けられているが、長手方向の一方側にのみ非接合部６２が設けられているのであっても良い。
【００６１】
また、防漏壁５０の長手方向の両端部には、エンド接合部６３が設けられている。エンド接合部６３では、図３Ａの斜線部で示されるように、防漏壁５０の天面部５１と下面部５２とが接合されると共に、下面部５２とトップシート２０とが接合されている。これにより、防漏壁５０の長手方向の端部において天面部５１及び下面部５２がトップシート２０の肌側面に固定される。なお、図１に示されるように、エンド接合部６３は折り込み接合部６１よりも横方向の外側に配置されており、これにより、天面部５１の横方向外側端部が捲り上がってしまうことが抑制される。
【００６２】
＜防漏壁５０の効果について＞
おむつ１における防漏壁５０の効果について説明する。先ず、比較例として従来型の防漏壁（レッグギャザー）を有するパンツ型使い捨ておむつ１００（以下、「おむつ１００」とも呼ぶ）を着用する際に生じる問題について説明する。図６Ａは、排泄が行われる前のおむつ１００（比較例）の着用状態について説明する図である。図６Ｂは、排泄が行われた後のおむつ１００（比較例）の着用状態について説明する図である。
【００６３】
比較例のおむつ１００の基本的な構造は、本実施形態のおむつ１とほぼ同様であるが、防漏壁の構成が大きく異なる。ｃでは、吸収性本体１１０（吸収性コア１１１）の横方向の両端部に一対の防漏壁１５０が設けられている。防漏壁１５０には、糸ゴム等の弾性部材１５５が複数（図６Ａにおいては弾性部材１５５１〜１５５４の４本）備えられており、当該弾性部材１５５による収縮力が作用することによって、防漏壁１５０が上方に起立する。おむつ１００の着用状態では、図６Ａに示されるように弾性部材１５５１〜１５５４によって防漏壁１５０が起立して、主に防漏壁１５０の頂点部に位置している弾性部材１５５１による収縮力が作用することによって、防漏壁１５０の上端部が着用者の身体に沿ってフィットしている。このときの一対の防漏壁１５０の横方向の間隔（つまり、横方向における防漏壁１５０の頂点間距離）をＷ１５０とする。
【００６４】
この状態で、排泄が行われると、吸収性コア１１１が尿等を吸収して重量が重くなり、下方側に垂れ下がるように移動する。すると、防漏壁１５０も吸収性コア１１１に引っ張られ、図６Ｂのように下方側に伸ばされるように変形する。このとき、防漏壁１５０の起立部の高さ（吸収性コア１１の横方向外側端部から防漏壁１５０の頂点位置までの距離）はＬ１で表される。また、防漏壁１５０の頂点位置がそれぞれ横方向の外側から内側にずれるように移動して、横方向における頂点間の距離Ｗ１５０′が排泄前の頂点間の距離Ｗ１５０よりも小さくなる（Ｗ１５０＞Ｗ１５０′）。これは、防漏壁１５０の頂点部に配置された弾性部材１５５１による収縮力よりも、重量が増加した吸収性コア１１１によって防漏壁１５０が下方側に引っ張られる力が大きくなるためである。その結果、吸収性コア１１１が下方側に垂れ下がるのに抗することができなくなって該吸収性コア１１１が大きく垂れ下がり、着用者に違和感を生じさせたり、また、防漏壁１５０のフィット性が悪化して着用者に不快感を生じさせたりするおそれがある。また、排泄が重ねられて吸収性コア１１１の重量がさらに増加すると、防漏壁１５０の頂点部に配置された弾性部材１５５１がより内側に移動しやすくなる。特に、背側において、弾性部材１５５１の位置が着用者の臀部の出っ張りの頂点部よりもさらに内側にずれやすくなり、おむつ１００から臀部が大きくはみ出してしまい、おむつ着用時の違和感を増大させるおそれがある。また、防漏壁１５０の頂点が着用者の身体から離脱しておむつ１００の脚回り部に隙間が生じ、当該隙間からおむつ１００の外側に排泄物が漏出してしまうおそれがある。
【００６５】
なお、弾性部材１５５１による収縮力を十分に高くすることにより、上述のような防漏壁１５０の位置ずれを抑制することは可能である。しかしその場合、防漏壁１５０の頂点部における締め付けが強くなり過ぎて、着用者の身体に防漏壁１５０（弾性部材１５５１）が食い込んだり、肌を傷つけたりしてしまうおそれがある。
【００６６】
これに対して、本実施形態のおむつ１では、防漏壁５０を上述した略Ｓ字状の折り曲げ構造（図５参照）とすることで、排泄が行われた場合であっても着用者に不快感を与えにくくしつつ、股間部に隙間が生じることを抑制することができる。図７Ａは、排泄が行われる前のおむつ１の着用状態について説明する図である。図７Ｂは、排泄が行われた後のおむつ１の着用状態について説明する図である。
【００６７】
図７Ａに示されるおむつ１を着用状態では、防漏壁５０のうち、肌側に配置された天面部５１が着用者の身体と当接する。すなわち、天面部５１の全体が着用者の身体に対して面接触するように配置される。天面部５１のうち折り込み部５３は、天面部５１と下面部５２とが積層された状態で接合されていることにより剛性が高くなっている。そのため、折り込み部５３に防漏壁弾性部材５５５及び５５６による収縮力が作用すると、該折り込み部５３は面形状を維持したまま、着用者の身体にしっかりと押し当てられる。このとき一対の防漏壁５０の横方向の間隔（横方向における折り込み部５３，５３の間の距離）をＷ５０とする。一方、天面部５１のうち単層部５４は、折り込み部５３よりも剛性が低いため自由に変形しやすい。そのため、単層部５４に配置された防漏壁弾性部材５５１〜５５４による収縮力が作用すると、該単層部５４は身体の凹凸に応じた曲面を形成しながら着用者の肌側に押し当てられる。
【００６８】
これにより、防漏壁５０の天面部５１の全体を着用者の身体に面でピタッとフィットさせることができる。また、天面部５１が着用者の身体と面接触しているため、複数の防漏壁弾性部材５５１〜５５６による収縮力が分散されて天面部５１全体として着用者の肌に作用する面圧を大きくしている。したがって、複数の防漏壁弾性部材５５１〜５５６（例えば糸ゴム）による収縮力が着用者の肌に対して個々に作用する場合と比較して、局所的に圧力が高くなることが抑制され、おむつ１の付け心地が悪化するのを抑え、かつ、着用者の肌を傷つけにくくなる。
【００６９】
なお、本実施形態では、折り込み部５３のうち、下面部５２に少なくとも１本の防漏壁弾性部材５５６が設けられている（図５参照）。該防漏壁弾性部材５５６が収縮することにより下面部５２と天面部５１とが同時に着用者の肌側に押し上げられるため、折り込み部５３が面形状を維持した状態で着用者の肌と当接（面接触）しやすくなる。
【００７０】
その際、防漏壁弾性部材５５６は、横方向について、折り込み接合部６１と同じ位置若しくは折り込み接合部６１よりも内側に配置されていることが望ましい。仮に、防漏壁弾性部材５５６が折り込み接合部６１よりも横方向の外側に配置されていた場合、該防漏壁弾性部材５５６による伸縮力が実質的に折り込み部５３に作用しなくなるため、折り込み部５３を面形状のまま着用者の肌側に押し上げることが困難になる。これに対して、折り込み接合部６１の下方又はその内側に防漏壁弾性部材５５６が配置されていれば、該防漏壁弾性部材５５６による伸縮力が折り込み接合部６１を介して折り込み部５３の広範囲に作用するため、折り込み部５３を着用者の肌と面接触させやすくなる
【００７１】
図７Ａの状態で、おむつ１に排泄が行われると、吸収性コア１１が尿等を吸収して重量が重くなり、下方側に垂れ下がるように移動しようとする。しかし、本実施形態のおむつ１では、折り込み部５３及び単層部５４に設けられた複数の弾性部材の収縮力によって天面部５１を上方側（着用者の肌側）に押し上げる力が生じており、吸収性コア１１の受領増加によって防漏壁５０が下側に引っ張られる力に対する抗力となる。また、天面部５１が着用者の肌と面接触していることから、接触面における摩擦が大きく、該天面部５１の位置ずれが生じにくい。したがって、一対の防漏壁５０の横方向の間隔Ｗ５０は排泄の前後で変動しにくい。これらのことから、図７Ｂのように防漏壁５０の天面部５１が着用者の肌に当接した状態が維持されやすく、おむつ１の脚回り部に隙間が生じる等の問題が生じにくくなる。
【００７２】
また、吸収性コア１１の垂れ下がりは、防漏壁５０の起立部分が高いほど生じやすくなる。すなわち、図７Ｂに示されるように、吸収性コア１１の横方向外側端部から防漏壁５０が着用者の肌と当接する部分までの距離Ｌ２が長いほど、吸収性コア１１が下方側に垂れ下がりやすくなる。これに関して、おむつ１の防漏壁５０では、折り込み部５３が形成されていることによって、図６Ｂで説明した防漏壁１５０の起立部の距離Ｌ１と比較して距離Ｌ２が相対的に短くなる。すなわち、折り込み部５３によって防漏壁５０の一部を折り重ねることにより、防漏壁５０の起立部分を低くすることで、吸収性コア１１が下方側に大きく垂れ下がることを抑制し、着用者に不快感を与えにくくすることができる。
【００７３】
図８は、折り込み接合部６１の配置について説明するための概略平面図である。同図８に示されるように、折り込み接合部６１（折り込み部５３）は、長手方向において吸収性コア１１の凹み部１１ｃに対応する領域に形成されている。吸収性コア１１の凹み部１１ｃが形成されている領域では吸収性コア１１の横方向端部から防漏壁５０の起立基部５０ｒｐまでの距離が長くなるため（図５参照）、その分吸収性コア１１の垂れ下がりが生じやすくなる。そこで、当該領域において防漏壁５０に折り込み接合部６１を設け、折り込み部５３にて防漏壁５０を折り重ねることにより、距離Ｌ２をなるべく短くして吸収性コア１１の垂れ下がりを効果的に抑制できるようにしている。
【００７４】
さらに、折り込み接合部６１（折り込み部５３）は、図８のように長手方向の両端が吸収性コア１１の凹み部１１ｃに達しないように配置されていることが望ましい。すなわち、折り込み接合部６１が、厚さ方向において吸収性コア１１と重複しないように形成されることが望ましい。吸収性コア１１と折り込み接合部６１（折り込み部５３）とが厚さ方向に重複している領域では上述したようなＬ２が長くなるという問題は生じにくく、折り込み接合部６１を設ける必要性が乏しいからである。逆に、折り込み接合部６１が、厚さ方向において吸収性コア１１と重複して形成されている場合、防漏壁５０のうち該折り込み接合部６１によって剛性が高くなった部分が、吸収性コア１１によって着用者の身体（肌側）に押し付けられ、おむつ１着用時における肌触りを悪化させてしまうおそれがある。
【００７５】
この点に関して、おむつ１では、防漏壁５０の長手方向の外側において非接合部６２が設けられており、厚さ方向において吸収性コア１１と重複する領域では、剛性の高い折り込み部５３が形成されないようにしている。また、非接合部６２が設けられている領域は、折り込み接合部６１が設けられている領域と比較して柔軟であるため、防漏壁５０を着用者の身体形状に従って変形させやすい。したがって、折り込み接合部６１が設けられている領域の長手方向の両外側に非接合部６２が設けられていることにより、防漏壁５０が着用者の身体にフィットしやすくなる。
【００７６】
また、おむつ１の長手方向について考えた場合、長手方向の内側から外側に行くにつれて、防漏壁５０が起立して着用者の肌と接する点が横方向内側の防漏壁弾性部材５５５から横方向外側の防漏壁弾性部材５５１へと移動して行く。すなわち、当該着用者の肌と接する点が着用者の臀部の出っ張りの頂点よりも横方向の外側に移動するように力が働き、防漏壁５０の立体部分が臀部の出っ張りの頂点よりも横方向の内側にずれることが抑制される。これにより、おむつ１着用時における違和感を緩和させることができる。但し、非接合部６２が、折り込み接合部６１の縦方向の一方側（例えば腹側）にのみ形成されているのであっても、当該領域において上述のような効果を得ることができる。
【００７７】
なお、本実施形態の吸収性コア１１において凹み部１１ｃの形状は長手方向について非対称であり、腹側における凹みの深さは背側における凹みの深さ以上となっている。具体的に、図８で、長手方向中央ＣＬ１０から距離Ｌ１０だけ腹側にずれた位置における折り込み接合部６１と凹み部１１ｃの横方向の距離ｄｆが、長手方向中央ＣＬ１０から距離Ｌ１０だけ背側にずれた位置における折り込み接合部６１と凹み部１１ｃの横方向の距離ｄｂ以上となっている。これにより、背側部における吸収性コア１１の横方向外側端部から防漏壁５０が着用者の肌と当接する部分までの距離Ｌ２（図７Ｂ参照）が、腹側部における距離Ｌ２以下となる。おむつ１着用時に便が排泄された場合、吸収性コア１１の背側部が腹側部よりも重くなって垂れ下がりやすくなるため、背側部における距離Ｌ２を腹側よりも短くすることで、吸収性コア１１の垂れ下がりを抑制しやすくなる。また、腹側において距離ｄｆが長いということは、当該部分における吸収性コア１１の横方向の間隔が狭くなるということを表しており、おむつ１を着用する動作において、脚回り開口ＬＨに脚を通す際に、着用者の脚の指が吸収性コア１１の側端部に引っ掛かってしまうことが抑制しやすくなる。
【００７８】
また、防漏壁弾性部材５５の伸縮力が作用する領域の長手方向の端部位置は、折り込み接合部６１の長手方向端部位置よりも長手方向の外側にある。すなわち、折り込み接合部６１（折り込み部５３）の全領域に対して防漏壁弾性部材５５（５５５、５５６）による伸縮力が作用している。これにより、折り込み接合部６１が形成されている長手方向の全範囲で折り込み部５３が図５の様な平面状に形成されやすくなり、着用者の肌に平面状にフィットしやすくなる。したがって、防漏壁５０の位置ずれをより生じにくくすることができる。
【００７９】
また、防漏壁５０は、吸収性本体１０の横方向の内側（中央側）から外側（端部側）に向かって折り返されている。すなわち、平面展開状態において防漏壁５０が横方向の内側から外側に折り返されることによって天面部５１が形成されている。そして、股下部５の領域では天面部５１の横方向外側が自由端となっている。仮に、天面部５１が横方向の外側から内側に折り返されて横方向の内側が自由端となっていた場合、おむつ１の着用時に着用者が脚回り開口ＬＨに脚を通す際に、着用者の脚の指が天面部５１の自由端側に引っ掛かりやすくなる。しかし、本実施形態の防漏壁５０では、脚回り開口ＬＨにおいて外側が自由端となるように防漏壁５０が形成されているため、着用時に脚の指が引っ掛かりにくい。
【００８０】
なお、本実施形態の防漏壁５０は、腹側胴回り部３及び背側胴回り部４においても、吸収性本体１０の横方向の内側（中央側）から外側（端部側）に向かって折り返されている。すなわち、平面展開状態の吸収性本体１０の長手方向の全領域において、防漏壁５０が横方向の内側から外側に折り返されることによって天面部５１が形成されている。長手方向の全領域について防漏壁５０の折り返し方向が同じであるため、製造が容易であり、製造コストも安くなる。そして、長手方向の所定の領域において、折り重ねられた防漏壁５０同士を接合することによって折り込み接合部６１，非接合部６２，エンド接合部６３がそれぞれ形成され、図３Ａ〜図３Ｃに示される形状の防漏壁５０を適宜形成することができる。
【００８１】
なお、図３Ａで説明したように、防漏壁５０の長手方向両端部では、折り曲げ線ｆ３にて横方向の内側に折り曲げられた防漏壁５０の下面部５２がトップシート２０と重ねられた状態でエンド接合部６３によって接合され、さらに、折り曲げ線ｆ２にて横方向の内側に折り返された天面部５１が下面部５２と重ねられた状態で同エンド接合部６３によって接合されている。そして、このエンド接合部６３は、折り込み接合部６１よりも横方向の外側に配置されている。これにより、防漏壁５０の長手方向両端部では、防漏壁５０が起立することなく吸収性本体１０にしっかりと固定される。
【００８２】
また、エンド接合部６３は横方向において折り込み接合部６１よりも外側の領域に形成されており、エンド接合部６３と非接合部６２との境界部を含む境界部６５（図８の太線で示されている）の長手方向の内側（非接合部６２側）では、防漏壁５０の下面部５２とトップシート２０とが接合されておらず、境界部６５の長手方向の外側（エンド接合部６３側）では、防漏壁５０の下面部５２とトップシート２０とが接合された状態となっている。したがって、境界部６５がポケットのように作用して、吸収性コア１１によって吸収された排泄物が吸収性コア１１から境界部６５の外側へ漏れることが抑制されやすくなる。
【００８３】
また、図１に示されるように、防漏壁５０は、厚さ方向について背側脚回り弾性部材３５ｌｇと交差するように配置されている。パンツ型形状のおむつ１の背側領域において、背側脚回り弾性部材３５ｌｇの湾曲部３５ｌｇｃの伸縮力によって防漏壁５０が斜め上方に引っ張り上げられることにより、おむつ１を着用する際に防漏壁５０が起立しやすくなり、また、防漏壁５０が引っ張られることにより、吸収性本体１０が拡幅されやすくなる。これにより、おむつ１着用時における脚回りのフィット性が向上する。
【００８４】
さらに、防漏壁５０に設けられている折り込み接合部６１も厚さ方向について背側脚回り弾性部材３５ｌｇと交差している。背側脚回り弾性部材３５ｌｇの湾曲部３５ｌｇｃの伸縮力によって折り込み接合部６１がおむつ１の斜め上方に引っ張り上げられることにより、折り込み接合部６１によって接合されている折り込み部５３が着用者の肌側により密着し、脚回り部に隙間が生じにくくなり、おむつ１着用時における脚回りのフィット性がより向上する。
【００８５】
また、防漏壁５０に設けられている防漏壁弾性部材５５の伸縮性が作用する領域と、腹側胴回り弾性部材３５ａ及び背側胴回り弾性部材３５ｂとが厚さ方向について交差している。防漏壁弾性部材５５が、腹側胴回り弾性部材３５ａ及び背側胴回り弾性部材３５ｂによる横方向の伸縮性によって支持されるため、防漏壁５０及び吸収性本体１０が下方側に垂れ下がりにくくなる。これにより、吸収性コア１１が排泄物等を吸収して重量が重くなった場合であっても、吸収性本体１０が大きく垂れ下がることが抑制され、着用者に違和感を与えにくくなる。
【００８６】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのは言うまでもない。例えば、以下に示すような変形が可能である。
【００８７】
上述の実施形態では、胴回り弾性部材や防漏壁弾性部材として、糸ゴムを用いる例について説明されていたが、これらの弾性部材は所謂糸ゴム等の線状弾性部材に限られるものではない。例えば、所定の幅を有する平面状（帯状の）弾性部材が用いられても良い。また、防漏壁やバックシートを構成するシート部材を、伸縮性を有するシート部材（例えば伸縮性不織布）とすることで、糸ゴム等の弾性部材を別途設ける必要のない構成としても良い。
【符号の説明】
【００８８】
１  おむつ（パンツ型使い捨ておむつ）、
３  腹側胴回り部、３ｅｓ  腹側サイドエッジ部、
４  背側胴回り部、４ｅｓ  背側サイドエッジ部、
５  股下部、
１０  吸収性本体、
１１  吸収性コア、１１ｃ  凹み部、１１ｅａ  端部、１１ｅｂ  端部、
１２  コアラップシート、
２０  トップシート、
３０  バックシート、３０ｃ  凹み部、
３１  バックフィルム、３２  上側外層シート、３３  下側外層シート、
３５ａ  腹側胴回り弾性部材、３５ｂ  背側胴回り弾性部材、
３５ｌｇ  背側脚回り弾性部材、３５ｌｇｓ  直線部、３５ｌｇｃ  湾曲部、
５０  防漏壁、
５０ｓ  シート部材、５０ｅｉ  内側端部、５０ｅо  外側端部、５０ｒｐ  基部、
５１  天面部、５２  下面部、５３  折り込み部、５４  単層部、
５５  防漏壁弾性部材、５５１〜５５６  防漏壁弾性部材、
６１  折り込み接合部、６２  非接合部、６３  エンド接合部、６５  境界部、
１００  おむつ（比較例）、
１１０  吸収性本体、１１１  吸収性コア、
１５０  防漏壁、
１５５  弾性部材、１５５１〜１５５４  弾性部材、
ｆ１，ｆ２，ｆ３  折り曲げ線、
ＢＨ  胴回り開口、ＬＨ  脚回り開口、
ＣＬ１０  中央位置、
ｄｆ  距離、ｄｂ  距離、Ｌ１  距離、Ｌ２  距離、
Ｗ５０  間隔、Ｗ１５０  間隔、Ｗ１５０´  間隔
【要約】
【課題】防漏壁を有する吸収性物品において、着用者に不快感を与えにくくしつつ、股間部に隙間が生じることを抑制する。
【解決手段】互いに交差する長手方向と横方向とを有する吸収性コアを備えた吸収性本体と、前記長手方向に伸縮する弾性部材を備え、前記吸収性本体の前記横方向の両側に設けられた一対の防漏壁と、を有し、前記吸収性コアは、前記長手方向の中央部が前記横方向の内側に凹んだ凹み部を有し、前記防漏壁のうちの、前記長手方向において前記凹み部に対応する領域の少なくとも一部に、前記防漏壁の厚さ方向の一方側の面同士が接合された接合部を有し、前記防漏壁のうちの、前記長手方向において前記接合部よりも一端側の領域及び他方側の領域のうち少なくとも一方に、前記防漏壁の厚さ方向の一方側の面同士が接合されていない非接合部を有する。
【選択図】図１【図１】
0005948516.tif 000002
【図２】
0005948516.tif 000003
【図３】
0005948516.tif 000004
【図４】
0005948516.tif 000005
【図５】
0005948516.tif 000006
【図６】
0005948516.tif 000007
【図７】
0005948516.tif 000008
【図８】
0005948516.tif 000009